(57)【要約】【解決手段】台車本体Ｄ１と該台車本体の裏側の４つの角部に取り付けられたキャスターＣとからなる台車Ｄにおいて、前記キャスターの台座ｃ１の相対する辺部の一方の辺部ｃ１ａを、前記台車本体に形成されたキャスター台座固定支持体７により支持するとともに、前記キャスターの台座の相対する辺部のもう一方の辺部ｃ１ｂを、前記台車本体の裏側に形成された嵌合ブロック装着空間部Ａ１’に嵌合された嵌合ブロックＨ１’のキャスター台座支持板ｈ６により支持するように構成したものである。【効果】キャスター台座取付支持ブロックの嵌合ブロックが、台車本体の裏側に形成された嵌合ブロック装着空間部に嵌合されているので、キャスター台座取付支持ブロックが移動するようなことがなく、従って、キャスターが、台車本体から外れるようなことを防止することができる。【選択図】図１２
2010264851.tif 000002
【特許請求の範囲】
【請求項１】
台車本体と該台車本体の裏側の４つの角部に取り付けられたキャスターとからなる台車において、前記キャスターの台座の相対する辺部の一方の辺部が、前記台車本体に形成されたキャスター台座固定支持体により支持されているとともに、前記キャスターの台座の相対する辺部のもう一方の辺部が、前記台車本体の裏側に形成された嵌合ブロック装着空間部に嵌合された嵌合ブロックのキャスター台座支持板により支持されているように構成されていることを特徴とする台車。
【発明の詳細な説明】
【技術分野】
【０００１】
本願発明は、種々の物品を載置し、運搬することができる台車に関するものである。
【背景技術】
【０００２】
従来、キャスターの台座の一辺を、台車本体の裏側に形成された溝部に挿入するとともに、対向する台座のもう一方の辺を、弾性片により把持するようにした台車が、特許文献１に開示されている。
【０００３】
また、台車本体のデッキ面に孔を形成し、この孔に、ストッパーを嵌合することにより、台車の裏側に形成された支持面とストッパーの係合突起とにより、キャスターの台座の把持するようにした台車が、特許文献２に開示されている。
【先行技術文献】
【特許文献】
【０００４】
【特許文献１】特開２００６−２１３２３１号公報
【０００５】
【特許文献２】特開平１１−２０７０６号公報
【発明の概要】
【発明が解決しようとする課題】
【０００６】
キャスターの台座を、弾性片を用いて、台車本体に取り付けるようにした従来の台車においては、キャスターに、弾性片の変形方向に大きな負荷がかかると、弾性片が変形し、キャスターが外れたり、弾性片が損傷するという問題があった。
【０００７】
また、キャスターに、弾性片の変形方向に大きな負荷がかからなくても、台車を、床や地面に落とした場合のように、キャスターに、衝撃が加わると、キャスターが外れるという問題があった。
【０００８】
更に、キャスターの台座を、ストッパーを用いて取り付けるようにした台車においては、台車本体に形成された孔とストッパーとの間に形成された隙間に、塵等が溜まり、台車の洗浄や衛生上に問題があった。
【０００９】
本発明の目的は、上述した従来の発明が有する課題を解決することにある。
【課題を解決するための手段】
【００１０】
本発明は、上述した目的を達成するために、台車本体と該台車本体の裏側の４つの角部に取り付けられたキャスターとからなる台車において、前記キャスターの台座の相対する辺部の一方の辺部を、前記台車本体に形成されたキャスター台座固定支持体により支持するとともに、前記キャスターの台座の相対する辺部のもう一方の辺部を、前記台車本体の裏側に形成された嵌合ブロック装着空間部に嵌合された嵌合ブロックのキャスター台座支持板により支持するように構成したものである。
【発明の効果】
【００１１】
本発明は、上述したように、台車本体と該台車本体の裏側の４つの角部に取り付けられたキャスターとからなる台車において、前記キャスターの台座の相対する辺部の一方の辺部を、前記台車本体に形成されたキャスター台座固定支持体により支持するとともに、前記キャスターの台座の相対する辺部のもう一方の辺部を、前記台車本体の裏側に形成された嵌合ブロック装着空間部に嵌合された嵌合ブロックのキャスター台座支持板により支持するように構成したので、キャスターが、台車本体から外れるようなことを防止することができる。
【００１２】
また、キャスター台座取付支持ブロックの嵌合ブロックが、台車本体の裏側に形成された嵌合ブロック装着空間部に嵌合されているので、キャスター台座取付支持ブロックが移動するようなことがなく、従って、キャスターが、台車本体から外れるようなことを防止することができる。
【図面の簡単な説明】
【００１３】
【図１】図１は、本発明の台車の斜視図である。
【００１４】
【図２】図２は、同じく、本発明の台車の斜視図である。
【００１５】
【図３】図３は、本発明の台車を構成する台車本体の斜視図である。
【００１６】
【図４】図４は、本発明の台車本体に取り付けられるキャスターの斜視図である。
【００１７】
【図５】図５は、本発明の台車を構成する台車本体の部分拡大斜視図である。
【００１８】
【図６】図６は、本発明の台車を構成する台車本体の部分拡大垂直断面図である。
【００１９】
【図７】図７は、本発明の台車を構成するキャスター台座取付支持ブロックの斜視図である。
【００２０】
【図８】図８は、同じく、本発明の台車を構成するキャスター台座取付支持ブロックの斜視図である。
【００２１】
【図９】図９は、本発明の台車の部分拡大斜視図である。
【００２２】
【図１０】図１０は、本発明の台車の部分拡大垂直断面図である。
【００２３】
【図１１】図１１は、本発明の台車を構成する台車本体とキャスター台座取付支持ブロック等の部分拡大垂直断面図である。
【００２４】
【図１２】図１２は、本発明の台車の部分拡大垂直断面図である。
【００２５】
【図１３】図１３は、本発明の台車の部分拡大斜視図である。
【００２６】
【図１４】図１４は、本発明の別の実施例を構成する台車の部分拡大斜視図である。
【００２７】
【図１５】図１５は、本発明の別の実施例を構成する台車の部分拡大垂直断面図である。
【００２８】
【図１６】図１６は、同じく、図１５と同様の本発明の別の実施例を構成する台車の部分拡大垂直断面図である。
【００２９】
【図１７】図１７は、同じく、図１５と同様の本発明の別の実施例を構成する台車の部分拡大垂直断面図である。
【実施例】
【００３０】
以下に、本発明の実施例について説明するが、本発明の趣旨を越えない限り、何ら、本実施例に限定されるものではない。
【００３１】
図１及び図２に示されているように、台車Ｄは、平面形状が、略長方形状の台車本体Ｄ１と、台車本体Ｄ１の裏側の４つの角部に取り付けられたキャスターＣとを有している。なお、ｄ１は、台車本体Ｄ１の一方の長側壁の中央部に形成された膨出部であり、ｄ２は、台車本体Ｄ１のもう一方の長側壁の中央部に形成された段差部である。２台の台車Ｄを、互いの台車本体Ｄ１の長側壁が相対するように連結する際には、一方の台車Ｄの台車本体Ｄ１に形成された膨出部ｄ１を、もう一方の台車Ｄの台車本体Ｄ１に形成された段差部ｄ２に嵌合するとともに、膨出部ｄ１の先端部裏面に垂設された突出部ｄ１ａを、段差部ｄ２の上面に形成された透孔ｄ２ａに挿入することにより、２台の台車Ｄを連結することができるように構成されている。このような膨出部ｄ１や段差部ｄ２を、適宜、省略することができる。段差部ｄ２の上面に形成された透孔ｄ２ａは、台車Ｄの持ち手用孔として利用することができるとともに、また、膨出部ｄ１にも、台車Ｄの持ち手用孔ｄ３を形成することもできる。
【００３２】
次に、図３〜図６を用いて、台車本体Ｄ１の裏側の４つの角部に形成されたキャスター取付部Ａ１について説明する。なお、図４に示されているキャスターＣは、公知のように、台座ｃ１と、台座ｃ１に回転自在に取り付けられた二股状の車輪支持体ｃ２と、車輪支持体ｃ２に支持された車輪ｃ３とからなる自在キャスターとして構成されているが、車輪支持体ｃ２が、台座ｃ１に対して回転することができないキャスターＣを採用することもできる。
【００３３】
台車本体Ｄ１は、板状デッキ１と、板状デッキ１の周辺から下方に垂設された周壁２とを有しており、板状デッキ１の裏面には、周壁２の長辺部２ａに平行なリブ３ａと周壁２の短辺部２ｂに平行なリブ３ｂとが垂設されており、台車本体Ｄ１は、板状デッキ１と、板状デッキ１の周辺から下方に垂設された周壁２と、周壁２の長辺部２ａに平行なリブ３ａと周壁２の短辺部２ｂに平行なリブ３ｂとからなる裏面リブ構造体３とから構成されている。
【００３４】
台車本体Ｄ１の裏側の４つの角部に形成されたキャスター取付部Ａ１は、周壁２の長辺部２ａと、周壁２の短辺部２ｂと、周壁２の長辺部２ａと平行で、且つ、周壁２の長辺部２ａから、キャスターＣの台座ｃ１の相対する一方の辺間の距離と略同じ距離に位置するリブ３ａ１と、周壁２の短辺部２ｂと平行で、且つ、周壁２の短辺部２ｂから、キャスターＣの台座ｃ１の相対するもう一方の辺間の距離と略同じ距離に位置するリブ３ｂ１とにより囲撓されている。なお、周壁２の長辺部２ａと平行で、且つ、周壁２の長辺部２ａから、キャスターＣの台座ｃ１の相対する一方の辺間の距離と略同じ距離に位置するリブ３ａ１を、単に、長辺部対向区画リブと称し、周壁２の短辺部２ｂと平行で、且つ、周壁２の短辺部２ｂから、キャスターＣの台座ｃ１の相対するもう一方の辺間の距離と略同じ距離に位置するリブ３ｂ１を、以下、単に、短辺部対向区画リブと称する。
【００３５】
長辺部対向区画リブ３ａ１の台車本体Ｄ１の裏面からの垂設高さ（台車本体Ｄ１の裏面と長辺部対向区画リブ３ａ１の下端との距離）、及び、短辺部対向区画リブ３ｂ１の裏面からの垂設高さ（台車本体Ｄ１の裏面と短辺部対向区画リブ３ｂ１の下端との距離）は、同じ垂設高さに形成されているとともに、周壁２の台車本体Ｄ１の裏面からの垂設高さ（台車本体Ｄ１の裏面と周壁２の下端との距離）と同じか、全体として、或いは、部分的に、高く形成されている。
【００３６】
キャスター取付部Ａ１には、周壁２の長辺部２ａと長辺部対向区画リブ３ａ１とを連結する適当数のキャスター取付部内連結リブ４、及び、周壁２の短辺部２ｂと短辺部対向区画リブ３ｂ１とを連結する適当数のキャスター取付部内連結リブ５が形成されている。また、キャスター取付部内連結リブ４、５の台車本体Ｄ１の裏面からの垂設高さ（台車本体Ｄ１の裏面とキャスター取付部内連結リブ４、５の下端との距離）は同じに形成されているとともに、周壁２の長辺部２ａ、周壁２の短辺部２ｂ、長辺部対向区画リブ３ａ１及び短辺部対向区画リブ３ｂ１より低く形成されている。
【００３７】
なお、６は、台車本体Ｄ１を形成する周壁２の短辺部２ｂの下端から垂設された垂直部である。垂直部６には、略Ｃ状のスリット６ａが穿設されており、スリット６ａに、このスリット６ａに、牽引部材の先端部に形成された鉤部を挿入し引っ掛けることにより、作業者が、台車Ｄを牽引することができるように構成されている。また、牽引部材の先端部に、垂直部６が挿入可能なリングを形成し、このリングに、垂直部６を挿入し、作業者が、台車Ｄを牽引することもできる。なお、このような垂直部６は、適宜、省略することができる。
【００３８】
７は、周壁２の長辺部２ａの下端部と周壁２の短辺部２ｂの下端部と長辺部対向区画リブ３ａ１の下端部とを連結するように形成された、短辺部２ｂに沿って形成されているとともに、板状デッキ１と平行なキャスター台座固定支持体であり、キャスター台座固定支持体７の上面と、キャスター取付部内連結リブ４、５の下端との間には、キャスターＣの台座ｃ１が挿入可能な間隙Ｇ１が形成されている。
【００３９】
８は、短辺部対向区画リブ３ｂ１の略中央部で、且つ、板状デッキ１の裏面付近に穿設された外側係止透孔である。また、９は、短辺部対向区画リブ３ｂ１に隣接した、周壁２の短辺部２ｂに平行なキャスター取付部内連結リブ４の両端部に穿設された内側係止透孔であり、本実施例においては、周壁２の短辺部２ｂと短辺部対向区画リブ３ｂ１とを連結するキャスター取付部内連結リブ４の両端部で、且つ、板状デッキ１の裏面付近に穿設されている。
【００４０】
次に、図７及び図８を用いて、キャスター台座取付支持ブロックＨ１について説明する。
【００４１】
Ｈ１’は、箱型に形成された嵌合ブロックであり、嵌合ブロックＨ１’は、底板ｈ１と、相対する一方の側壁ｈ２と、相対するもう一方の側壁ｈ３とを有している。また、相対する一方の側壁ｈ２の１つの側壁ｈ２の中央部に、所定の間隔をおいて、２条の縦状スリットｈ４を設けることにより、側壁ｈ２には、弾性片ｈ５が形成されており、弾性片ｈ５の外壁面（箱型に形成された嵌合ブロックＨ１’の外側に位置する面）には、上述した短辺部対向区画リブ３ｂ１に穿設された外側係止透孔８に嵌合される水平状係止突条ｈ５ａが形成されている。
【００４２】
Ｈ１”は、嵌合ブロックＨ１’の底板ｈ１と略面一に延設された覆板状部であり、覆板状部Ｈ１”は、弾性片ｈ５が形成されていない側壁ｈ２及び上述した相対するもう一方の側壁ｈ３を越えて外側に延在するキャスター台座支持板ｈ６と、上述した相対するもう一方の側壁ｈ３の一部を越えて外側に延在する蓋板ｈ７とを有している。また、弾性片ｈ５が形成されている側壁ｈ２と対向する側壁ｈ２の外壁面（箱型に形成された嵌合ブロックＨ１’の外側に位置する面）の両端部には、上述した周壁２の短辺部２ｂに平行なキャスター取付部内連結リブ４に穿設された内側係止透孔９に嵌合される係止突起ｈ８が形成されている。
【００４３】
次に、図９〜図１３を用いて、キャスター台座取付支持ブロックＨ１を用いた、キャスターＣの台車本体Ｄ１への取り付けについて説明する。
【００４４】
先ず最初に、図９及び図１０に示されているように、台車本体Ｄ１に形成されたキャスター台座固定支持体７の上面と、キャスター取付部内連結リブ４、５の下端との間に形成された間隙Ｇ１に、キャスターＣの台座ｃ１の相対する辺部の一方の辺部ｃ１ａを挿入する。
【００４５】
次いで、図１１に示されているように、キャスター台座取付支持ブロックＨ１を、台車本体Ｄ１の裏側に形成されたキャスター取付部Ａ１に対向するように配置し、その後、キャスター台座取付支持ブロックＨ１の嵌合ブロックＨ１’を、板状デッキ１と、外側係止透孔８が穿設された短辺部対向区画リブ３ｂ１と、内側係止透孔９が穿設されたキャスター取付部内連結リブ４と、周壁２の短辺部２ｂと短辺部対向区画リブ３ｂ１とを連結する相対するキャスター取付部内連結リブ５とにより囲撓された嵌合ブロック装着空間部Ａ１’に嵌合する。
【００４６】
上述したように、キャスター台座取付支持ブロックＨ１の嵌合ブロックＨ１’を、嵌合ブロック装着空間部Ａ１’に嵌合すると、図１２に示されているように、嵌合ブロックＨ１’の側壁ｈ２に形成された弾性片ｈ５に突設された水平状係止突条ｈ５ａが、台車本体Ｄ１の裏側に形成されたキャスター取付部Ａ１を構成する短辺部対向区画リブ３ｂ１に穿設された外側係止透孔８に嵌合され係止されるように構成されているとともに、嵌合ブロックＨ１’の弾性片ｈ５が形成されている側壁ｈ２と対向する側壁ｈ２に突設された係止突起ｈ８が、キャスター取付部内連結リブ４に穿設された内側係止透孔９に嵌合され係止されるように構成されている。
【００４７】
上述したように、キャスター台座取付支持ブロックＨ１の嵌合ブロックＨ１’が、台車本体Ｄ１の裏側に形成された嵌合ブロック装着空間部Ａ１’に嵌合された際には、キャスター台座取付支持ブロックＨ１のキャスター台座支持板ｈ６が、キャスターＣの台座ｃ１の相対する辺部のもう一方の辺部ｃ１ｂに下方から当接し、キャスターＣが、台車本体Ｄ１の裏側に取り付けられるように構成されている。
【００４８】
また、上述したように、キャスター台座取付支持ブロックＨ１の嵌合ブロックＨ１’が、台車本体Ｄ１の裏側に形成された嵌合ブロック装着空間部Ａ１’に嵌合された際には、キャスター台座取付支持ブロックＨ１に形成された蓋板ｈ７も、台車本体Ｄ１の裏側に形成されたキャスター取付部Ａ１内に位置するように構成されている。
【００４９】
上述したキャスター台座取付支持ブロックＨ１及び台車本体Ｄ１は、いずれも合成樹脂で一体成形されており、また、同じ樹脂で成形することが好ましい。
【００５０】
上述したように、台車本体Ｄ１に形成されたキャスター台座固定支持体７の上面と、キャスター取付部内連結リブ４、５の下端との間に形成された間隙Ｇ１に、キャスターＣの台座ｃ１の相対する辺部の一方の辺部ｃ１ａを挿入した後、台車本体Ｄ１の裏側に形成された嵌合ブロック装着空間部Ａ１’に、キャスター台座取付支持ブロックＨ１の嵌合ブロックＨ１’を嵌合するとともに、嵌合ブロックＨ１’の側壁ｈ２に形成された弾性片ｈ５に突設された水平状係止突条ｈ５ａを、台車本体Ｄ１の裏側に形成されたキャスター取付部Ａ１を構成する短辺部対向区画リブ３ｂ１に穿設された外側係止透孔８に嵌合し係止し、また、嵌合ブロックＨ１’の弾性片ｈ５が形成されている側壁ｈ２と対向する側壁ｈ２に突設された係止突起ｈ８を、キャスター取付部内連結リブ４に穿設された内側係止透孔９に嵌合し係止することにより、キャスター台座取付支持ブロックＨ１のキャスター台座支持板ｈ６により、キャスターＣの台座ｃ１の相対する辺部のもう一方の辺部ｃ１ｂを下方から支持するようにしたので、キャスターＣが、台車本体Ｄ１から外れるようなことを防止することができる。
【００５１】
また、キャスターＣに、水平方向の負荷がかかっても、キャスター台座取付支持ブロックＨ１の嵌合ブロックＨ１’が、台車本体Ｄ１の裏側に形成された嵌合ブロック装着空間部Ａ１’に嵌合されているので、キャスター台座取付支持ブロックＨ１が、水平移動するようなことがなく、従って、嵌合ブロックＨ１’の側壁ｈ２に形成された弾性片ｈ５に突設された水平状係止突条ｈ５ａが、台車本体Ｄ１の裏側に形成されたキャスター取付部Ａ１を構成する短辺部対向区画リブ３ｂ１に穿設された外側係止透孔８から抜け出たり、嵌合ブロックＨ１’の弾性片ｈ５が形成されている側壁ｈ２と対向する側壁ｈ２に突設された係止突起ｈ８が、キャスター取付部内連結リブ４に穿設された内側係止透孔９から抜け出て、キャスターＣが、台車本体Ｄ１から外れるようなことを防止することができる。
【００５２】
更に、キャスター台座取付支持ブロックＨ１の嵌合ブロックＨ１’が、台車本体Ｄ１の裏側に形成された嵌合ブロック装着空間部Ａ１’に嵌合されているので、嵌合ブロックＨ１’の側壁ｈ２に形成された弾性片ｈ５も、嵌合ブロック装着空間部Ａ１’内に位置することになり、従って、弾性片ｈ５の損傷を防止することができる。
【００５３】
なお更に、キャスター台座取付支持ブロックＨ１の嵌合ブロックＨ１’が嵌合される嵌合ブロック装着空間部Ａ１’が、台車本体Ｄ１の裏側に形成されているので、台車本体Ｄ１の上面に透孔が形成されていないので、台車Ｈの清浄性や見栄え性（外観性）が向上する。
【００５４】
次に、図１４〜図１７を用いて、本発明の別の実施例について説明する。なお、上述した実施例と同じ構成部材については、同じ符号を使用とするとともに、詳細な説明は省略する。
【００５５】
本実施例においては、上述した実施例において、内側係止透孔９が穿設されているキャスター取付部内連結リブ４に、２条の縦状スリット４ａを設けることにより、キャスター取付部内連結リブ４に、弾性片４ｂを形成するとともに、弾性片４ｂの下端に、キャスター台座固定支持体７方向に延在するキャスター台座支持水平板４ｃを形成したものである。また、縦状スリット４ａが形成されたキャスター取付部内連結リブ４の長辺部２ａに平行なキャスター取付部内連結リブ５側に位置するキャスター取付部内連結リブ４には、上述したキャスター取付部内連結リブ４の両端部に穿設された内側係止透孔９が残存するように構成されている。
【００５６】
キャスターＣを、台車本体Ｄ１に取り付けるには、先ず最初に、図１５に示されているように、弾性片４ｂを、短辺部２ｂ、換言すれば、キャスター台座固定支持体７から離反するように弾性変形させる。次いで、同じく、図１５に示されているように、キャスターＣの台座ｃ１の相対する辺部のもう一方の辺部ｃ１ｂを、弾性片４ｂに形成されたキャスター台座支持水平板４ｃの上面に載置し、その後、キャスターＣを上動させて、キャスターＣの台座ｃ１の相対する辺部の一方の辺部ｃ１ａを、キャスター台座固定支持体７の上面とキャスター取付部内連結リブ４、５の下端との間に形成された間隙Ｇ１に対向させ、次いで、弾性片４ｂを、元の垂直位置に戻すことにより、図１６に示されているように、キャスターＣの台座ｃ１の相対する辺部の一方の辺部ｃ１ａを、前記間隙Ｇ１に挿入し、キャスター台座固定支持体７の上面に載置する。このようにして、キャスターＣの台座ｃ１の相対する辺部の一方の辺部ｃ１ａが、キャスター台座固定支持体７の上面に載置され、また、キャスターＣの台座ｃ１の相対する辺部のもう一方の辺部ｃ１ｂが、弾性片４ｂに形成されたキャスター台座支持水平板４ｃの上面に載置されることになる。
【００５７】
その後、上述した実施例と同様に、キャスター台座取付支持ブロックＨ１の嵌合ブロックＨ１’を、嵌合ブロック装着空間部Ａ１’に嵌合すると、図１７に示されているように、嵌合ブロックＨ１’の側壁ｈ２に形成された弾性片ｈ５に突設された水平状係止突条ｈ５ａが、台車本体Ｄ１の裏側に形成されたキャスター取付部Ａ１を構成する短辺部対向区画リブ３ｂ１に穿設された外側係止透孔８に嵌合され係止されるとともに、嵌合ブロックＨ１’の弾性片ｈ５が形成されている側壁ｈ２と対向する側壁ｈ２に突設された係止突起ｈ８が、キャスター取付部内連結リブ４に穿設された内側係止透孔９に嵌合され係止されることになる。このようにして、キャスターＣが、台車本体Ｄ１に取り付けられることになる。
【００５８】
上述した実施例においても、キャスター台座取付支持ブロックＨ１の嵌合ブロックＨ１’が、台車本体Ｄ１の裏側に形成された嵌合ブロック装着空間部Ａ１’に嵌合されているので、キャスターＣに、水平方向の負荷がかかっても、キャスター台座取付支持ブロックＨ１が、水平移動するようなことがなく、従って、嵌合ブロックＨ１’の側壁ｈ２に形成された弾性片ｈ５に突設された水平状係止突条ｈ５ａが、台車本体Ｄ１の裏側に形成されたキャスター取付部Ａ１を構成する短辺部対向区画リブ３ｂ１に穿設された外側係止透孔８から抜け出たり、嵌合ブロックＨ１’の弾性片ｈ５が形成されている側壁ｈ２と対向する側壁ｈ２に突設された係止突起ｈ８が、キャスター取付部内連結リブ４に穿設された内側係止透孔９から抜け出て、キャスターＣが、台車本体Ｄ１から外れるようなことを防止することができる。
【００５９】
なお、上述した実施例においては、キャスター台座取付支持ブロックＨ１を、台車本体Ｄ１の裏側から取り付けるように構成されているが、台車本体Ｄ１を構成する周壁２の長辺部２ａ或いは短辺部２ｂに透孔を穿設し、この透孔から、キャスター台座取付支持ブロックＨ１を装着するように構成することもできる。
【符号の説明】
【００６０】
Ａ１・・・・・・・・・・・キャスター取付部
Ａ１’・・・・・・・・・・嵌合ブロック装着空間部
Ｃ・・・・・・・・・・・・キャスター
Ｄ・・・・・・・・・・・・台車
Ｄ１・・・・・・・・・・・台車本体
Ｈ１・・・・・・・・・・・キャスター台座取付支持ブロック
１・・・・・・・・・・・・板状デッキ
２・・・・・・・・・・・・周壁
３・・・・・・・・・・・・裏面リブ構造体
４、５・・・・・・・・・・キャスター取付部内連結リブ
７・・・・・・・・・・・・キャスター台座固定支持体
【図１】
2010264851.tif 000003
【図２】
2010264851.tif 000004
【図３】
2010264851.tif 000005
【図４】
2010264851.tif 000006
【図５】
2010264851.tif 000007
【図６】
2010264851.tif 000008
【図７】
2010264851.tif 000009
【図８】
2010264851.tif 000010
【図９】
2010264851.tif 000011
【図１０】
2010264851.tif 000012
【図１１】
2010264851.tif 000013
【図１２】
2010264851.tif 000014
【図１３】
2010264851.tif 000015
【図１４】
2010264851.tif 000016
【図１５】
2010264851.tif 000017
【図１６】
2010264851.tif 000018
【図１７】
2010264851.tif 000019